(57)【要約】【課題】簡単な処理で表面の画像と裏面の画像との位置を合わせることができるインクジェット記録装置を提供する。【解決手段】インクジェット記録装置１００は、記録部７と、検出部６１と、制御部９とを備える。記録部７は、用紙Ｐの第１面と用紙Ｐの第２面とに画像を記録する。検出部６１は、第１面の主走査幅Ｗ１と第２面の主走査幅Ｗ２を検出する。制御部９は、記録部７を制御する。制御部９は、第１面の主走査幅Ｗ１と第２面の主走査幅Ｗ２とに基づいて、第２面の副走査幅Ｌ３を推定する。第１面の主走査幅Ｗ１は、第１面に画像が記録される前に検出部６１によって検出される。第２面の主走査幅Ｗ２は、第１面に画像が記録された後であって、第２面に画像が記録される前に検出部６１によって検出される。【選択図】図１
2019214190.tif 000002
【特許請求の範囲】
【請求項１】
用紙の第１面と前記用紙の第２面とに画像を記録する記録部と、
前記第１面の主走査幅と前記第２面の主走査幅を検出する検出部と、
前記記録部を制御する制御部と
を備え、
前記制御部は、前記第１面の主走査幅と前記第２面の主走査幅とに基づいて、前記第２面の副走査幅を推定し、
前記第１面の主走査幅は、前記第１面に前記画像が記録される前に前記検出部によって検出され、
前記第２面の主走査幅は、前記第１面に前記画像が記録された後であって、前記第２面に前記画像が記録される前に前記検出部によって検出される、インクジェット記録装置。
【請求項２】
前記制御部は、
前記画像が記録される前の前記第１面の主走査幅と前記画像が記録される前の前記第２面の主走査幅とから前記第１面に前記画像が記録された後の前記用紙の伸縮率を算出し、
前記用紙の伸縮率と前記画像が記録される前の前記第１面の副走査幅とに基づいて、前記第２面の副走査幅を推定する、請求項１に記載のインクジェット記録装置。
【請求項３】
前記制御部は、前記画像が記録される前の前記第１面の副走査幅と前記推定した第２面の副走査幅とに基づいて、前記第２面の内の前記画像を記録する位置を決定する、請求項２に記載のインクジェット記録装置。
【請求項４】
前記検出部は、前記画像が記録された後の前記第２面の副走査幅を検出し、
前記制御部は、前記推定した第２面の副走査幅と前記検出した第２面の副走査幅とに基づいて、前記用紙の伸縮率を補正する、請求項３に記載のインクジェット記録装置。
【請求項５】
前記用紙のタイプごとに前記用紙の伸縮率を記憶する記憶部をさらに備える、請求項２から請求項４のいずれか１項に記載のインクジェット記録装置。
【請求項６】
用紙の第１面と前記用紙の第２面とに画像を形成する画像形成部と、
前記第１面の主走査幅と前記第２面の主走査幅を検出する検出部と、
前記記録部を制御する制御部と
を備え、
前記制御部は、前記第１面の主走査幅と前記第２面の主走査幅とに基づいて、前記第２面の副走査幅を推定し、
前記第１面の主走査幅は、前記第１面に前記画像が形成される前に前記検出部によって検出され、
前記第２面の主走査幅は、前記第１面に前記画像が形成された後であって、前記第２面に前記画像が形成される前に前記検出部によって検出される、画像形成装置。
【請求項７】
前記制御部は、
前記画像が形成される前の前記第１面の主走査幅と前記画像が形成される前の前記第２面の主走査幅とから前記第１面に前記画像が形成された後の前記用紙の伸縮率を算出し、
前記用紙の伸縮率と前記画像が形成される前の前記第１面の副走査幅とに基づいて、前記第２面の副走査幅を推定する、請求項６に記載の画像形成装置。
【請求項８】
前記制御部は、前記画像が記録される前の前記第１面の副走査幅と前記推定した第２面の副走査幅とに基づいて、前記第２面の内の前記画像を形成する位置を決定する、請求項７に記載の画像形成装置。
【請求項９】
前記検出部は、前記画像が形成された後の前記第２面の副走査幅を検出し、
前記制御部は、前記推定した第２面の副走査幅と前記検出した第２面の副走査幅とに基づいて、前記用紙の伸縮率を補正する、請求項８に記載の画像形成装置。
【請求項１０】
前記用紙のタイプごとに前記用紙の伸縮率を記憶する記憶部をさらに備える、請求項７から請求項９のいずれか１項に記載の画像形成装置。
【請求項１１】
用紙の第１面と前記用紙の第２面とに画像を記録する記録部を備えるインクジェット記録装置が実行する前記用紙の副走査幅を推定する推定方法であって、
前記推定方法は、
前記記録部を制御する制御ステップと、
前記第１面の主走査幅と前記第２面の主走査幅を検出する検出ステップと、
前記第１面の主走査幅と前記第２面の主走査幅とに基づいて、前記第２面の副走査幅を推定する推定ステップと
を備え、
前記第１面の主走査幅は、前記第１面に前記画像が記録される前に前記検出部によって検出され、
前記第２面の主走査幅は、前記第１面に前記画像が記録された後であって、前記第２面に前記画像が記録される前に前記検出部によって検出される、用紙の副走査幅を推定する推定方法。
【請求項１２】
用紙の第１面と前記用紙の第２面とに画像を形成する画像形成部を備える画像形成装置が実行する前記用紙の副走査幅を推定する推定方法であって、
前記推定方法は、
前記画像形成部を制御する制御ステップと、
前記第１面の主走査幅と前記第２面の主走査幅を検出する検出ステップと、
前記第１面の主走査幅と前記第２面の主走査幅とに基づいて、前記第２面の副走査幅を推定する推定ステップと、
を備え、
前記第１面の主走査幅は、前記第１面に前記画像が形成される前に前記検出部によって検出され、
前記第２面の主走査幅は、前記第１面に前記画像が形成された後であって、前記第２面に前記画像が形成される前に前記検出部によって検出される、用紙の副走査幅を推定する推定方法。
【発明の詳細な説明】
【技術分野】
【０００１】
本発明は、インクジェット記録装置、画像形成装置、インクジェット記録装置が実行する用紙の副走査幅を推定する推定方法、及び画像形成装置が実行する用紙の副走査幅を推定する推定方法に関する。
【背景技術】
【０００２】
従来、用紙の両面に画像が形成可能な画像形成装置が提供されている。このような画像形成装置は、反転機構を備える。反転機構は、用紙の表裏を反転させる。このような画像形成装置によれば、用紙を反転させることで、用紙の両面に画像を形成できる。
【０００３】
また、用紙を反転させて画像を形成する場合、用紙の表面の画像の位置と裏面との画像の位置が不一致となる。このような問題を解消できる画像形成装置として、特許文献１に示す画像形成装置が知られている。
【０００４】
特許文献１に示す画像形成装置は、画像形成部と、読取部と、測定部と、制御部とを備える。画像形成部は、表面と裏面との両面に、位置合わせ用の基準画像を形成する。読取部は、基準画像が形成された表面と基準画像が形成された裏面とを読み取る。測定部は、表面のエッジと裏面のエッジとを基準位置として、エッジと基準画像との間の距離を測定する。制御部は、測定結果に基づいて、表面の画像形成位置と裏面の画像形成位置とを変更する。この結果、表面の画像の位置と裏面の画像の位置とを合わせることができる。
【先行技術文献】
【特許文献】
【０００５】
【特許文献１】特開２０１４−２３２１４１号公報
【発明の概要】
【発明が解決しようとする課題】
【０００６】
しかしながら、特許文献１に記載の画像形成装置では、画像形成部が用紙の表面と裏面とに基準画像を形成し、読取部が表面の基準画像と裏面の基準画像とを読み取り、位置合わせを行うため、処理が煩雑であった。したがって、簡単な処理で表面の画像と裏面の画像との位置を合わせることができない。
【０００７】
本発明は上記課題に鑑みてなされたものであり、簡単な処理で表面の画像と裏面の画像との位置を合わせることができるインクジェット記録装置、画像形成装置、インクジェット記録装置が実行する用紙の副走査幅を推定する推定方法、及び画像形成装置が実行する用紙の副走査幅を推定する推定方法を提供することを目的とする。
【課題を解決するための手段】
【０００８】
本発明の一局面に係るインクジェット記録装置は、記録部と、検出部と、制御部とを備える。前記記録部は、用紙の第１面と前記用紙の第２面とに画像を記録する。前記検出部は、第１面の主走査幅と第２面の主走査幅を検出する。前記制御部は、前記記録部を制御する。前記制御部は、前記第１面の主走査幅と前記第２面の主走査幅とに基づいて、前記第２面の副走査幅を推定する。前記第１面の主走査幅は、前記第１面に前記画像が記録される前に前記検出部によって検出される。前記第２面の主走査幅は、前記第１面に前記画像が記録された後であって、前記第２面に前記画像が記録される前に前記検出部によって検出される。
【０００９】
本発明の一局面に係る画像形成装置は、画像形成部と、検出部と、制御部とを備える。前記画像形成部は、用紙の第１面と前記用紙の第２面とに画像を形成する。前記検出部は、第１面の主走査幅と第２面の主走査幅を検出する。前記制御部は、前記画像形成部を制御する。前記制御部は、前記第１面の主走査幅と前記第２面の主走査幅とに基づいて、前記第２面の副走査幅を推定する。前記第１面の主走査幅は、前記第１面に前記画像が記録される前に前記検出部によって検出される。前記第２面の主走査幅は、前記第１面に前記画像が記録された後であって、前記第２面に前記画像が記録される前に前記検出部によって検出される。
【００１０】
本発明の一局面に係るインクジェット記録装置が実行する用紙の副走査幅を推定する推定方法は、制御ステップと、検出ステップと、推定ステップとを備える。前記インクジェット記録装置は、用紙の第１面と前記用紙の第２面とに画像を記録する記録部を備える。前記制御ステップは、前記記録部を制御する。前記検出ステップは、前記第１面の主走査幅と前記第２面の主走査幅を検出する。前記推定ステップは、前記第１面の主走査幅と前記第２面の主走査幅とに基づいて、前記第２面の副走査幅を推定する。前記第１面の主走査幅は、前記第１面に前記画像が記録される前に前記検出部によって検出される。前記第２面の主走査幅は、前記第１面に前記画像が記録された後であって、前記第２面に前記画像が記録される前に前記検出部によって検出される。
【００１１】
本発明の一局面に係る画像形成装置が実行する用紙の副走査幅を推定する推定方法は、制御ステップと、検出ステップと、推定ステップとを備える。前記画像形成装置は、用紙の第１面と前記用紙の第２面とに画像を形成する画像形成部を備える。前記制御ステップは、前記画像形成部を制御する。前記検出ステップは、前記第１面の主走査幅と前記第２面の主走査幅を検出する。前記推定ステップは、前記第１面の主走査幅と前記第２面の主走査幅とに基づいて、前記第２面の副走査幅を推定する。前記第１面の主走査幅は、前記第１面に前記画像が形成される前に前記検出部によって検出される。前記第２面の主走査幅は、前記第１面に前記画像が形成された後であって、前記第２面に前記画像が形成される前に前記検出部によって検出される。
【発明の効果】
【００１２】
本発明によれば、簡単な処理で表面の画像と裏面の画像との位置を合わせることができる。
【図面の簡単な説明】
【００１３】
【図１】本発明の実施形態１に係るインクジェット記録装置の構成を示す図である。
【図２】用紙の第１面を示す図である。
【図３】用紙の第２面を示す図である。
【図４】制御部が用紙の伸縮率を算出する処理を示すフローチャートである。
【図５】実施形態２に係る画像形成装置の構成を示す図である。
【発明を実施するための形態】
【００１４】
以下、本発明の実施形態について、図面を参照しながら説明する。なお、図中、同一または相当部分については同一の参照符号を付して説明を繰り返さない。
【００１５】
（実施形態１）
まず、図１を参照して、本発明のインクジェット記録装置１００について説明する。図１は、本発明の実施形態１に係るインクジェット記録装置１００の構成を示す図である。
【００１６】
図１に示すように、インクジェット記録装置１００は、操作パネル２、用紙収容部５、用紙搬送部６、記録部７、インク供給装置７０、排出装置８、制御部９、及び記憶部１０を備える。
【００１７】
操作パネル２は、インクジェット記録装置１００に対するユーザーからのジョブの指示を受け付ける。操作パネル２は、通知部及び複数の操作キーを含む。操作パネル２は、ユーザーからの指示を受け付けると、ユーザーからの指示を示す信号を制御部９へ送信する。通知部は、例えば、液晶ディスプレーまたは有機ＥＬディスプレー（Ｏｒｇａｎｉｃ  Ｅｌｅｃｔｒｏ  Ｌｕｍｉｎｅｓｃｅｎｃｅ  Ｄｉｓｐｌａｙ）を含む。
【００１８】
用紙収容部５は、複数のカセット５１を有する。カセット５１は、用紙Ｐを収容する。カセット５１から給紙された用紙Ｐは、用紙搬送部６へ搬送される。
【００１９】
用紙搬送部６は、記録部７の下方を通過するように用紙Ｐを搬送する。また、用紙搬送部６は、記録部７の下方を通過した用紙Ｐを排出装置８に搬送する。また、用紙搬送部６は、イメージセンサー６１と、用紙センサー６２とを有する。
【００２０】
イメージセンサー６１は、用紙Ｐの外形を検出する。イメージセンサー６１は、ＣＩＳ（Ｃｏｎｔａｃｔ Ｉｍａｇｅ Ｓｅｎｓｏｒ）である。ＣＩＳは、固定位置で使用される。ＣＩＳは、例えば、用紙Ｐの両角の位置を検出する。例えば、ＣＩＳは、用紙Ｐの短手方向の幅を検出する。また、ＣＩＳは、用紙Ｐの長手方向の幅を検出する。イメージセンサー６１は、検出結果を制御部９に出力する。なお、イメージセンサー６１は、検出部の一例に相当する。
【００２１】
用紙センサー６２は、用紙Ｐの有無を検出する。用紙センサー６２は、発光素子と受光素子とを備える。受光素子は、発光素子から出射された光を受光する。発光素子と受光素子との間に用紙Ｐが位置する場合、発光素子から出射された光がさえぎられる。また、発光素子と受光素子との間に用紙Ｐが位置しない場合、発光素子から出射された光を受光素子が受光する。用紙センサー６２は、検出結果を制御部９に出力する。
【００２２】
記録部７は、インクを吐出して用紙Ｐに画像を記録する。記録部７は、ヘッドハウジング７１と４つのラインヘッド７２とを含む。ヘッドハウジング７１は、４つのラインヘッド７２を支持する。４つのラインヘッド７２の各々は、対応する色のインクを吐出する。
【００２３】
イエロー色のインクを吐出するラインヘッド７２をラインヘッド７２Ｙと示している。マゼンダ色のインクを吐出するラインヘッド７２をラインヘッド７２Ｍと示している。シアン色のインクを吐出するラインヘッド７２をラインヘッド７２Ｃと示している。ブラック色のインクを吐出するラインヘッド７２をラインヘッド７２Ｋと示している。
【００２４】
インク供給装置７０は、記録部７にインクを供給する。インク供給装置７０は、４つ設けられる。第１インク供給装置は、ラインヘッド７２Ｙにインクを供給する。第２インク供給装置は、ラインヘッド７２Ｍにインクを供給する。第３インク供給装置は、ラインヘッド７２Ｃにインクを供給する。第４インク供給装置は、ラインヘッド７２Ｋにインクを供給する。
【００２５】
排出装置８は、排出トレイ８１を含む。排出装置８は、本体筐体の外部へ用紙Ｐを排出する。本体筐体の外部へ排出された用紙Ｐは、排出トレイ８１に載置される。
【００２６】
制御部９は、ＣＰＵ（Ｃｅｎｔｒａｌ  Ｐｒｏｃｅｓｓｉｎｇ  Ｕｎｉｔ）のようなプロセッサーによって構成される。制御部９は、制御プログラムを実行することにより、インクジェット記録装置１００の各部の動作を制御する。また、制御部９は、画像を記録する処理用の集積回路を備える。画像を記録する処理用の集積回路は、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）によって構成される。
【００２７】
記憶部１０は、データを記憶する。記憶部１０は、ストレージデバイス及び半導体メモリーによって構成される。ストレージデバイスは、例えば、ＨＤＤ（Ｈａｒｄ  Ｄｉｓｋ  Ｄｒｉｖｅ）及び／またはＳＳＤ（Ｓｏｌｉｄ  Ｓｔａｔｅ  Ｄｒｉｖｅ）によって構成される。半導体メモリーは、例えば、ＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）を構成する。記憶部１０は、制御プログラムを記憶する。また、記憶部１０は、用紙Ｐの短手方向の長さＷと長手方向の長さＬとを記憶する。
【００２８】
次に、図２を参照して、画像が記録される前の用紙Ｐの第１面を説明する。図２は、用紙Ｐの第１面を示す図である。用紙Ｐの第１面は、用紙Ｐの表面である。図２に示すように、第１面には、画像が記録されていない。
【００２９】
第１面の主走査幅は、幅Ｗ１である。第１面の副走査幅は、幅Ｌ１である。第１面は、画像領域Ｘを含む。画像領域Ｘは、矩形状である。画像領域Ｘは、画像が記録される領域である。画像領域Ｘには、インクが吐出される。第１面の一方の端部から画像領域Ｘまでの長さは、長さａ１である。第１面の他方の端部から画像領域Ｘまでの長さは、長さｂ１である。第１面に画像が記録される場合、第１面の一方の端部側から画像が記録される。表面印刷の場合、用紙Ｐの第１面が記録部７に対向した状態で、第１面の一方の端部を先頭に搬送されるためである。
【００３０】
次に、図３を参照して、画像が記録される前の用紙Ｐの第２面を説明する。図３は、用紙Ｐの第２面を示す図である。用紙Ｐの第２面は、用紙Ｐの裏面である。図３に示すように、用紙Ｐの第２面には、画像が記録されていない。なお、用紙Ｐの第１面には、画像が記録されている。図３に示す破線の「Ａ」は、用紙Ｐの第１面に記録された画像である。用紙Ｐの第２面に画像を記録する場合、用紙搬送部６は、第１面に画像が記録された用紙Ｐを逆送させて第２面に反転させる。
【００３１】
第２面の主走査幅は、幅Ｗ２である。第２面の副走査幅は、幅Ｌ２である。第２面は、画像領域Ｙを含む。画像領域Ｙは、矩形状である。第２面の一方の端部から画像領域Ｙまでの長さは、長さａ２である。第２面の他方の端部から画像領域Ｙまでの長さは、長さｂ２である。第２面に画像が記録される場合、第２面の他方の端部側から画像が記録される。裏面印刷の場合、用紙Ｐの第２面が記録部７に対向した状態で、第２面の他方の端部を先頭に搬送されるためである。
【００３２】
次に、図２と図３とを参照して、用紙Ｐが伸縮する場合について説明する。用紙Ｐは、画像が記録されると伸縮する。例えば、図３に示す用紙Ｐは、第１面に画像が形成される。このため、図３に示す用紙Ｐは、図２に示す画像が記録されていない用紙Ｐと比較して伸長している。図３に示す第２面の主走査幅Ｗ２は、図２に示す第１面の主走査幅Ｗ１よりも長い。また、第２面の副走査幅Ｌ２は、第１面の副走査幅Ｌ１よりも長い。また、第２面の長さｂ２は、第１面の長さｂ１よりも長い。また、第２面の長さｂ２は、第１面の長さａ１よりも長い。なお、図３に示す第２面の主走査幅Ｗ２は、図２に示す第１面の主走査幅Ｗ１より短くなる場合もある。また、図３に示す第２面の副走査幅Ｌ２は、図２に示す第１面の副走査幅Ｌ１より短くなる場合もある。
【００３３】
用紙Ｐが伸長する場合、画像領域Ｙの位置と画像領域Ｘの位置とが一致しない。画像領域Ｘの位置と画像領域Ｙの位置とが一致しない場合、画像領域Ｘに記録された画像の位置と画像領域Ｙに記録された画像の位置とが不一致となる。例えば、図３に示す第１面の画像「Ａ」の位置と、第２面に記録される画像「Ａ」の位置とが不一致となる。この結果、ユーザーに違和感を与える。
【００３４】
第１面の画像の位置と第２面の画像の位置とを一致させる場合、制御部９は、図３に示す第２面の副走査幅Ｌ３を推定する。具体的には、制御部９は、画像が記録される前の第１面の主走査幅Ｗ１と画像が記録される前の第２面の主走査幅Ｗ２とに基づいて、第２面の副走査幅Ｌ３を推定する。
【００３５】
制御部９は、イメージセンサー６１が主走査幅Ｗ１を検出するように、イメージセンサー６１を制御する。イメージセンサー６１は、第１面の一方の端部を検出する。具体的には、イメージセンサー６１は、第１面の一方の端部の角から角までを検出する。
【００３６】
なお、イメージセンサー６１は、第１面に画像が記録される前に第１面の主走査幅Ｗ１を検出する。この結果、イメージセンサー６１は、主走査幅Ｗ１を検出できる。イメージセンサー６１の検出結果は、制御部９に出力される。主走査幅Ｗ１は、記憶部１０に記憶される。また、制御部９は、予め記憶された用紙Ｐの第１面の主走査幅Ｗ１を記憶部１０から取得することも可能である。
【００３７】
また、制御部９は、イメージセンサー６１が副走査幅Ｌ１を検出するように、イメージセンサー６１を制御する。イメージセンサー６１は、第１面の側部を検出する。具体的には、イメージセンサー６１は、第１面の側部の角から角までを検出する。この結果、イメージセンサー６１は、副走査幅Ｌ１を検出できる。イメージセンサー６１の検出結果は、制御部９に出力される。副走査幅Ｌ１は、記憶部１０に記憶される。また、制御部９は、予め記憶された用紙Ｐの第１面の副走査幅Ｌ１を記憶部１０から取得することも可能である。
【００３８】
また、制御部９は、イメージセンサー６１が主走査幅Ｗ２を検出するように、イメージセンサー６１を制御する。イメージセンサー６１は、第２面の他方の端部を検出する。具体的には、イメージセンサー６１は、第２面の他方の端部の角から角までを検出する。
【００３９】
なお、イメージセンサー６１は、第１面に画像が記録された後であって第２面に画像が記録される前に第２面の主走査幅Ｗ２を検出する。この結果、イメージセンサー６１は、主走査幅Ｗ２を検出できる。イメージセンサー６１の検出結果は、制御部９に出力される。主走査幅Ｗ２は、記憶部１０に記憶される。
【００４０】
また、制御部９は、用紙Ｐの伸縮率Ａを算出する。具体的には、制御部９は、画像が記録される前の第１面の主走査幅Ｗ１と画像が記録される前の第２面の主走査幅Ｗ２とから用紙Ｐの伸縮率Ａを算出する。用紙Ｐの伸縮率Ａは、次の式（１）によって算出できる。
Ａ＝Ｗ２／Ｗ１      （１）
この結果、制御部９は、第１面に画像が記録された用紙Ｐの伸縮率Ａを算出できる。
【００４１】
また、制御部９は、用紙Ｐの伸縮率Ａと画像が記録される前の第１面の副走査幅Ｌ１とに基づいて、第２面の副走査幅Ｌ３を推定する。具体的には、副走査幅Ｌ３は、副走査幅Ｌ１と用紙Ｐの伸縮率Ａとの積である。副走査幅Ｌ３は、次の式（２）によって算出できる。
Ｌ３＝Ｌ１×Ａ      （２）
この結果、制御部９は、副走査幅Ｌ３を推定できる。なお、副走査幅Ｌ３は、記憶部１０に記憶されてもよい。
【００４２】
また、制御部９は、長さｂ２を算出する。具体的には、制御部９は、長さｂ１と副走査幅Ｌ１と副走査幅Ｌ３とに基づいて、長さｂ２を算出する。長さｂ２は、次の式（３）で算出できる。
ｂ２＝ｂ１±（Ｌ３−Ｌ１）      （３）
【００４３】
また、制御部９は、画像領域Ｙを決定する。具体的には、制御部９は、長さｂ２と長さａ２とに基づいて、画像領域Ｙの位置を決定する。制御部９は、第２面の他方の端部から長さｂ２となる位置と第２面の一方の端部から長さａ２となる位置との間の領域を画像領域Ｙとする。この結果、第２面に画像が形成される前に、画像領域Ｙを決定できる。また、決定された画像領域Ｙの位置に基づいて、画像を記録する位置を決定できる。この結果、第１面に記録された画像の位置と第２面に記録された画像の位置との不一致を抑制できる。したがって、簡単な処理で第１面の画像と第２面の画像との位置を合わせることができる。このため、ユーザーに与える違和感を抑制できる。
【００４４】
また、制御部９は、イメージセンサー６１が副走査幅Ｌ２を検出するように、イメージセンサー６１を制御する。イメージセンサー６１は、第２面の画像の記録にあわせて、第２面の副走査幅Ｌ２を検出する。具体的には、イメージセンサー６１は、第２面の側部を検出する。イメージセンサー６１は、第２面の側部の角から角までを検出する。この結果、イメージセンサー６１は、主走査幅Ｗ２を検出できる。イメージセンサー６１の検出結果は、制御部９に出力される。副走査幅Ｌ２は、記憶部１０に記憶される。
【００４５】
また、制御部９は、用紙Ｐの伸縮率Ａを補正するための補正係数ｋを算出できる。補正係数ｋを算出する場合、制御部９は、推定した第２面の副走査幅Ｌ３と検出した第２面の副走査幅Ｌ２とに基づいて、補正係数ｋを算出する。補正係数ｋは、次の式（４）で算出できる。
ｋ＝Ｌ２／Ｌ３      （４）
【００４６】
また、制御部９は、用紙Ｐの伸縮率Ａと補正係数ｋとに基づいて、用紙Ｐの伸縮率Ｂを算出する。用紙Ｐの伸縮率Ｂは、次の式（５）で算出できる。
Ｂ＝Ａ×ｋ      （５）
なお、用紙Ｐの伸縮率Ｂは、記憶部１０に記憶される。
【００４７】
また、記憶部１０は、用紙Ｐのタイプごとに用紙Ｐの伸縮率Ｂを記憶する。例えば、用紙Ｐが厚紙の場合、厚紙の伸縮率Ｂを記憶する。用紙Ｐのタイプごとに用紙Ｐの伸縮率Ｂを記憶することで、用紙Ｐのタイプにあわせて第１面に記録された画像の位置と第２面に記録された画像の位置との不一致を抑制できる。したがって、簡単な処理で第１面の画像と第２面の画像との位置を合わせることができる。このため、ユーザーに与える違和感を抑制できる。
【００４８】
次に図４を参照して用紙Ｐの伸縮率Ｂを算出するための処理を説明する。図４は、制御部９が用紙Ｐの伸縮率Ｂを算出する処理を示すフローチャートである。図４に示すフローチャートは、ステップＳ１からステップＳ１９までを含む。
【００４９】
ステップＳ１：制御部９は、イメージセンサー６１が用紙Ｐの第１面における主走査幅Ｗ１を検出する。処理は、ステップＳ３に進む。
【００５０】
ステップＳ３：制御部９は、画像領域Ｘに画像を記録するように記録部７を制御する。処理は、ステップＳ５に進む。
【００５１】
ステップＳ５：制御部９は、イメージセンサー６１が第２面の主走査幅Ｗ２を検出するように、イメージセンサー６１を制御する。処理は、ステップＳ７に進む。
【００５２】
ステップＳ７：制御部９は、主走査幅Ｗ１と主走査幅Ｗ２とに基づいて、用紙Ｐの伸縮率Ａを算出する。処理は、ステップＳ９に進む。
【００５３】
ステップＳ９：制御部９は、用紙Ｐの伸縮率Ａと副走査幅Ｌ１とに基づいて、副走査幅Ｌ３を推定する。処理は、ステップＳ１１に進む。
【００５４】
ステップＳ１１：制御部９は、長さｂ１と副走査幅Ｌ１と副走査幅Ｌ３とに基づいて、長さｂ２を算出する。処理は、ステップＳ１３に進む。
【００５５】
ステップＳ１３：制御部９は、長さｂ２と長さａ２とに基づいて、画像領域Ｙを決定する。処理は、ステップＳ１５に進む。
【００５６】
ステップＳ１５：制御部９は、イメージセンサー６１が第２面の副走査幅Ｌ２を検出するように、イメージセンサー６１を制御する。処理は、ステップＳ１７に進む。
【００５７】
ステップＳ１７：制御部９は、副走査幅Ｌ２と副走査幅Ｌ３とに基づいて、補正係数ｋを算出する。処理は、ステップＳ１９に進む。
【００５８】
ステップＳ１９：制御部９は、用紙Ｐの伸縮率Ａと補正係数ｋとに基づいて、用紙Ｐの伸縮率Ｂを算出する。処理は、ステップＳ２１に進む。
【００５９】
この結果、第１面の画像領域Ｘの位置と第２面の画像領域Ｙの位置との不一致を抑制できる。また、第１面に記録された画像の位置と第２面に記録された画像の位置との不一致を抑制できる。したがって、簡単な処理で第１面の画像と第２面の画像との位置を合わせることができる。このため、ユーザーに与える違和感を抑制できる。
【００６０】
（実施形態２）
図５を参照して、本発明の実施形態２に係る画像形成装置２００を説明する。図５は、本発明の実施形態２に係る画像形成装置２００の構成を示す図である。実施形態２に係る画像形成装置２００は、インクジェット記録装置１００の制御部９が実行する処理を実行できる。実施形態１の制御部９の処理は、画像形成装置２００でも実行できるため、重複部分については説明を省略する。図５は、本発明の実施形態２に係る画像形成装置２００を示す。図５に示す画像形成装置２００は、複写機、プリンター、ファクシミリまたはこれらの機能を兼ね備えた複合機である。
【００６１】
画像形成装置２００は、画像読取部２１０と、画像形成部２２０とを備える。画像形成部２２０は、定着装置２７０と、作像部２３０と、トナー補給装置２４０と、給紙カセット２５０と、用紙搬送部２６０と、用紙排出部２８０と、制御部２９０と、記憶部３００とを備える。
【００６２】
画像形成部２２０は、画像読取部２１０によって読み取られた画像データに基づいて画像を形成する。
【００６３】
給紙カセット２５０は、用紙Ｐを収容する。給紙カセット２５０内の用紙Ｐは、作像部２３０と定着装置２７０とを経由して用紙排出部２８０から排出される。
【００６４】
用紙搬送部２６０は、用紙Ｐを搬送する。用紙搬送部２６０は、作像部２３０を通過するように用紙Ｐを搬送する。また、用紙搬送部２６０は、作像部２３０を通過した用紙Ｐを用紙排出部２８０に搬送する。また、用紙搬送部２６０は、イメージセンサー２６１と、用紙センサー２６２とを備える。
【００６５】
イメージセンサー２６１は、用紙Ｐの外形を検出する。イメージセンサー２６１は、ＣＩＳである。イメージセンサー２６１は、検出結果を制御部２９０に出力する。イメージセンサー２６１は、「検出部」の例に相当する。用紙センサー２６２は、用紙Ｐの有無を検出する。用紙センサー２６２は、発光素子と受光素子を備える。用紙センサー２６２は、検出結果を制御部２９０に出力する。
【００６６】
作像部２３０は、トナーを用いてトナー像を用紙Ｐに形成する。作像部２３０は、感光体２３１と、現像装置２３２と、転写装置２３３とを含む。
【００６７】
感光体２３１は、画像読取部２１０で生成された原稿画像を示す電子信号に基づいて、静電潜像を形成する。現像装置２３２は、現像ローラー２３４を有する。現像ローラー２３４は、感光体２３１にトナーを供給して静電潜像を現像させることで、感光体２３１にトナー像を形成する。現像装置２３２には、トナー補給装置２４０からトナーが補給される。
【００６８】
転写装置２３３は、感光体２３１に形成されたトナー像を用紙Ｐに転写する。
【００６９】
定着装置２７０は、用紙Ｐを加熱及び加圧することで、作像部２３０において形成された未定着のトナーを溶融させて用紙Ｐに定着させる。
【００７０】
制御部２９０は、ＣＰＵのようなプロセッサーによって構成される。制御部２９０は、制御プログラムを実行することにより、画像形成装置２００の各部の動作を制御する。また、制御部２９０は、画像を形成する処理用の集積回路を備える。画像を形成する処理用の集積回路は、例えば、ＡＳＩＣによって構成される。
【００７１】
記憶部３００は、データを記憶する。記憶部３００は、ストレージデバイス及び半導体メモリーによって構成される。ストレージデバイスは、例えば、ＨＤＤ及び／またはＳＳＤによって構成される。半導体メモリーは、例えば、ＲＡＭ及びＲＯＭを構成する。記憶部３００は、制御プログラムを記憶する。また、記憶部３００は、用紙Ｐの短手方向の長さＷと長手方向の長さＬを記憶する。
【００７２】
以上、図面（図１〜図５）を参照しながら本発明の実施形態を説明した。但し、本発明は、上記の実施形態に限られるものではなく、その要旨を逸脱しない範囲で種々の態様において実施することが可能である。また、上記の各実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる。また、上記の実施形態で示す各構成要素の速度、材質、形状、寸法等は一例であって、特に限定されるものではなく、本発明の構成から実質的に逸脱しない範囲で種々の変更が可能である。
【産業上の利用可能性】
【００７３】
本発明は、インクジェット記録装置、画像形成装置、インクジェット記録装置が実行する副走査幅を推定する推定方法、及び画像形成装置が実行する副走査幅を推定する推定方法の分野に利用可能である。
【符号の説明】
【００７４】
７      記録部
９      制御部
１０    記憶部
１００  インクジェット記録装置
２００  画像形成装置
２２０  画像形成部
２９０  制御部
３００  記憶部
Ａ      伸縮率
Ｂ      伸縮率
Ｌ１    副走査幅
Ｌ２    副走査幅
Ｌ３    副走査幅
Ｐ      用紙
Ｗ１    主走査幅
Ｗ２    主走査幅
【図１】
2019214190.tif 000003
【図２】
2019214190.tif 000004
【図３】
2019214190.tif 000005
【図４】
2019214190.tif 000006
【図５】
2019214190.tif 000007